(57)【要約】本発明は、リボンユニットを含むチューブ密閉型光ケーブルの構造に関するもので、より詳細には、ケーブルの中心部材を吸水性物質でコーティングする光ケーブル及び中心部材の周囲を囲む一つ以上のチューブと、チューブを囲む外皮の間の空いた空間に吸水性物質でコーティングされた介在物を挿入する光ケーブルを提供することによって、光ケーブルの防水能力及び圧縮特性を向上させると同時に、光ケーブルの製造工程を簡略化することができ、工程の経済性を向上させることができるリボンユニットを含むチューブ集合型光ケーブルの構造に関するものである。【特許請求の範囲】
【請求項１】
光ケーブルは吸水性物質が表面にコーティングされた中心部材と、
内部に水分の侵入を防止できる防水物質で充填され、少なくとも一つ以上の光ファイバーを含み、前記中心部材の周囲を所定の距離を置いて方向を変える螺旋構造（ｈａｎｄ  ｈｅｌｉｘ）で巻いている少なくとも一つ以上のチューブと、
前記一つ以上のチューブ全体を覆っているプラスチック材質の外皮と、
前記らせん状チューブと外皮との間に形成されてケーブル内部への水分侵入を防ぐ非ジェリー（ｎｏｎ−ｊｅｌｌｙ）物質の水膨潤可能部材とからなるリボンユニットを含むチューブ密閉型光ケーブル。
【請求項２】
前記吸水性物質は、少量の吸水性ポリマーが結びついた熱可塑性樹脂である請求項１に記載の光ケーブル。
【請求項３】
前記熱可塑性樹脂は、ポリオレフィン樹脂である請求項２に記載の光ケーブル。
【請求項４】
前記ポリオレフィン樹脂は、ポリエチレンである請求項３に記載の光ケーブル。
【請求項５】
前記吸水性物質は、下記の化学式（１）
【化１】
2004520623.tif 000004
で表される物質である請求項１に記載の光ケーブル。
【請求項６】
前記非ジェリー物質の防水材は、防水テープまたは高吸水性ポリマーを含む非金属引張線である請求項１ないし５のいずれかに記載の光ケーブル。
【請求項７】
光ケーブルは非ジェリー成分の防水物質で覆われた中心部材と、
内部に水分の侵入を防止できる防水物質で充填され、少なくとも一つ以上の光ファイバーを含み、前記中心部材の周囲を所定の距離を置いて方向を変える螺旋構造で巻かれた少なくとも一つ以上のチューブと、
前記一つ以上のチューブ全体を覆っているプラスチック材質の外皮と、
前記チューブと外皮との間の空いた空間に位置し、吸水性物質でコーティングされたプラスチック材質の介在物とからなるリボンユニットを含むチューブ密閉型光ケーブル。
【請求項８】
前記非ジェリー成分の防水物質は、防水性テープ、防水糸、及び請求項１ないし５に記載の吸水性物質からなるグループの中で選択されたいずれかである請求項７に記載の光ケーブル。
【請求項９】
前記吸水性物質は、少量の吸水性ポリマーが結びついた熱可塑性樹脂である請求項７に記載の光ケーブル。
【請求項１０】
前記熱可塑性樹脂はポリオレフィン樹脂である請求項９に記載の光ケーブル。
【請求項１１】
前記ポリオレフィン樹脂はポリエチレンである請求項１０に記載の光ケーブル。
【請求項１２】
前記吸水性物質は下記の化学式（１）
【化２】
2004520623.tif 000005
に表される物質である請求項７に記載の光ケーブル。
【請求項１３】
前記介在物の材質は、ポリエチレン、ポリプロピレン、ポリ塩化ビニル（ＰＶＣ）樹脂からなるグループの中から選択されたいずれかである請求項７ないし１２のいずれかに記載の光ケーブル。
【請求項１４】
前記外皮とらせん状チューブとの間に形成された非ジェリー成分の防水材をさらに含む請求項７ないし１２のいずれかに記載の光ケーブル。
【請求項１５】
前記非ジェリー物質の防水材は、防水テープまたは高吸水性ポリマーを含む非金属引張線である請求項１４に記載の光ケーブル。
【発明の詳細な説明】
【０００１】
発明の背景
発明の分野
本発明は、リボンユニットを含むチューブ密閉型光ケーブルの構造に関するもので、より詳細には、ケーブルの中心部材を吸水性物質でコーティングする光ケーブル及び中心部材の周囲を囲む一つ以上のチューブと、チューブを囲む外皮の間の空いた空間に吸水性物質でコーティングされた介在物を挿入する光ケーブルを提供することによって、光ケーブルの防水能力及び圧縮特性を向上させると同時に、光ケーブルの製造工程を簡略化し、工程の経済性を向上させることができるリボンユニットを含むチューブ密閉型光ケーブルの構造に関するものである。
【０００２】
従来技術の説明
光ケーブルは、テレビ、コンピュータ、電話などの電気、電子的な信号を伝達することに幅広く使われており、特に、従来の同軸ケーブルに比べて膨大な情報をスピーディーに伝達でき、益々脚光を浴びている。しかし、このような光ケーブルに使われる光ファイバーは微小な直径を持って、衝撃に弱く、特に水分との接触により損傷しやすい特性を持っている。このような光ファイバーを水分及び外部の衝撃から保護できる構造を持つ光ケーブルが切実に要求されてきており、これに伴い多様な構造を持つ光ケーブルが開発されてきた。
【０００３】
従来の光ケーブル構造の一例として、図１は米国特許第５，２２９，８５１号（特許文献１）に開示された光ケーブルの構造を示す。図１に示すように、光ケーブルは中心部材１０、中心部材周囲を所定の距離を置いて方向を変える螺旋構造（ｈａｎｄ ｈｅｌｉｘ）で巻いている一つ以上の液体不透性チューブ１６、チューブの内部に緩く受容される一つ以上のリボンユニット１４及び液体不侵透性チューブを覆っているプラスチック材質の外皮２０を含んでおり、光ファイバーを水分及び外部の衝撃から保護するために、外皮の内膜とチューブとの間、及びチューブ間の全ての空いた空間にジェリー形態の防水物質１２を充填している。
【０００４】
しかし、実際ケーブルを連結して使用するためには、光ケーブルから光ファイバーを取り出す必要がある。前述したようにジェリー形態の防水物質をケーブル内に充填すると、光ファイバーを取り出すためにジェリーも同様にケーブルから除去しなくてはならない。したがって、ジェリーにより手や装備が汚染されるという短所があり、ジェリー自体の粘性によってこれを充填する工程に時間が多くかかるようになる。これは工程全体の収率及び経済性の低下につながる。また、ジェリーがチューブ間の空いた空間に完全に満たされず、満足すべき圧力特性を得られなかったのが事実である。
【０００５】
このため、前述したような欠点を補完するための研究が継続的に行われてきたのであり、その結果図２及び図３に示すような構造を持つ光ケーブルが開発された。図２及び図３に示す光ケーブルは、米国特許第５，６２１，８４１号（特許文献２）に開示されたものである。まず、図２の光ケーブルは図１に示すように、中心部材１０、中心部材を交互のハンドヘリックス構造で巻いているチューブ１６、チューブ内に位置するリボンユニット１４及びチューブ１６の周囲を覆っている外皮２０を含む。この光ケーブルにおいて、チューブ間の空間を防水糸２４で満たし、チューブ１６をまず防水テープ２２で巻いてから、その周囲をプラスチック材質の外皮２０で覆う構造を持つ。
【０００６】
すなわち、この光ケーブルではジェリー形態の防水物質の代わりに防水糸及びリボンを覆う防水テープを使用することによって、ジェリー形態の防水物質を使用した場合に現れる問題点を解決している。しかし、防水糸は高吸水性ポリマーを含む粉末または微細糸で構成されるが、前述したように光ケーブルにおいては、このような防水糸がケーブルの組立て工程中外部に露出されている。チューブが防水糸の表面に摩擦されることがあるので、粉塵が発生するようになる。このような粉塵は製品不良及び工場内清潔性を阻害する要素となるので、工程の経済性及び収率が低下するおそれがあるという問題点がある。
【０００７】
また、図３に示す光ケーブルにおいても、リボン型光ケーブルは中心部材１０、チューブ１６、リボンユニット及び外皮２０からなり、中心部材の周囲を防水テープ２６で縦巻し、チューブ間の空いた空間を防水糸で充填する構造を持っている。これもまた図２による光ケーブルで現れる問題点を解決することができず、しかも図３による構造によれば、ケーブルの組立て工程において防水テープを縦巻するための別の装置及び工程が必要になる。また、作業中に防水テープの入替え作業が必要なため、連続作業が難しくなって、工程の経済性を低下させる。さらに、テープを縦巻する場合、テープ間に隙間が生じるおそれがあり、ケーブルの防水特性が低下する問題点がある。
【０００８】
図２及び図３の光ケーブルで圧力特性及び屈曲特性が低下する問題点を解決するための構造として、図４に示すような構造を持つ米国特許第６，０１４，４８７号（特許文献３）による光ケーブルがある。図４を参考にすれば、リボン型光ケーブルは中心部材１０、ジェリー型防水物質１２が充填されたチューブ１６、リボンユニット１４及び外皮２０からなり、チューブ１６間の空いた空間にケーブルの圧力特性を向上させるための介在物２８を挿入し、介在物の周囲に水膨潤可能部材２４を配置する構造を持っている。プラスチック材質の介在物を挿入することによって、ケーブルの圧力特性を向上させることができ、介在物周囲の防水部材を通じてケーブルに水分が吸収されるのを防ぐことはできる。しかし、介在物自体は何の防水特性をも持つことができないので、ケーブルの充分な防水特性を得ることができない。また、防水部材として糸を使用することによって、ケーブルの組立て工程の間、糸による粉塵が発生するおそれがある。また、チューブ、介在物及び防水部材を同時に配置する複雑な作業が必要になって、生産性が低下する問題がある。
【０００９】
このような従来技術の問題点によって、優れた防水特性及び圧力特性を持ちながらも、工程が簡便で、汚染物質が発生せず、経済性を最大にできる構造を持つ光ケーブルが切実に要求されている。
【００１０】
【特許文献１】
米国特許第５，２２９，８５１号明細書
【特許文献２】
米国特許第５，６２１，８４１号明細書
【特許文献３】
米国特許第６，０１４，４８７号明細書
【００１１】
発明の要約
ここで本発明の目的は、従来の光ケーブルの問題点を解決するために、中心部材に吸水性物質自体をコーティングして、らせん状チューブとポリエチレン外皮との間に非ジェリー物質の水膨潤可能部材を形成することにより、優れた防水特性を持ちながらも、簡単な工程で生産が可能であり、防水糸による粉塵の発生などを防止できるリボンユニットを含む光ケーブルを提供することにある。
【００１２】
本発明のもう一つの目的は、チューブとプラスチック材質の外皮間の空いた空間に吸水性物質がコーティングされた介在物を挿入することで、優れた圧力特性及び防水特性を持ちながらも、工程が簡単で、防水糸による粉塵の発生などを防止できるリボンユニットを含むチューブ密閉型光ケーブルを提供することにある。
【００１３】
本発明は、吸水性物質で表面をコーティングされた中心部材、内部に水分の侵入を防止できる防水物質で充填され、少なくとも一つ以上の光ファイバーを含み、前記中心部材の周囲を所定の距離を置いて方向を変える螺旋構造（ｈａｎｄ ｈｅｌｉｘ）で巻いている少なくとも一つ以上のチューブ、前記一つ以上のチューブ全体を覆っているプラスチック材質の外皮、及び前記らせん状チューブと外皮との間に形成されてケーブル内部への水分侵入を防ぐ非ジェリー（ｎｏｎ−ｊｅｌｌｙ）物質からなる水膨潤可能部材とから構成されるリボンユニットを含むチューブ密閉型光ケーブルに関する。
【００１４】
本願発明の他の目的及び態様については、添付する図に関連した以下の実施形態の記載から明らかであり、
【００１５】
好適な実施例の詳細な説明
図５に示すように、本発明の光ケーブルは、吸水性物質１１４が表面にコーティングされた中心部材１００と、内部に水分の侵入を防止できる防水物質１０２で充填され、少なくとも一つ以上の光ファイバを含んで、中心部材の周囲を所定の距離を置いて、方向を変える螺旋構造で巻いている少なくとも一つ以上のチューブ１０６と、チューブ１０６を覆っているプラスチック材質の外皮１１２と、及びらせん状チューブと外皮との間に形成されてケーブル内部への水分侵入を防止する非ジェリー（ｎｏｎ−ｊｅｌｌｙ）物質の水膨潤可能部材１０８とからなる。
【００１６】
本発明のリボンユニット１１４を含むチューブ密閉型光ケーブルは、従来技術とは異なり、吸水性物質を中心部材１００の周囲にコーティングして、非ジェリー物質の水膨潤可能部材１０８を形成することによって、製造工程を簡単にでき、防水糸による粉塵の発生を防止できると同時に、テープを縦巻した時に起こりうる防水特性の低下が発生しないで、優れた防水特性を持つことができる。
【００１７】
前述したように光ケーブルにおいて、吸水性物質としては、少量の吸水性ポリマーが結びついた熱可塑性樹脂を使用することが望ましく、特に熱可塑性樹脂にはポリオレフィン樹脂を使用することが好ましい。
【００１８】
しかし、ポリオレフィン樹脂としては、ポリエチレン、ポリプロピレン樹脂等一般的な樹脂をすべて使用できるが、好ましくはポリエチレンを使用することができ、前述したようにポリエチレン樹脂に吸水性ポリマーが結びついた吸水性物質の代表的な例としては、下記化学式（１）によるポリエチレン・ビニールアセテイト共重合体がある。
【００１９】
【化３】
2004520623.tif 000002
【００２０】
前述したように、吸水性ポリマーが結びついた熱可塑性物質を吸水性物質に使用することによって、中心部材に吸水性物質を圧出する方法を通じて、吸水性物質を簡単にコーティングでき、防水テープを縦巻する場合のような別の工程もしくはシステムを必要としなくなり、圧出後非常に早く凝固できるので、中心部材のコーティング工程と、中心部材周囲のチューブ密閉作業をほとんど同時に進行できるようになる。したがって、光ケーブルの製造工程を簡単にできる。
【００２１】
このような吸水性物質が水分を吸収するメカニズムを化学式（１）による物質をもって簡略に見てみる。まず物質が水分子と接触すればアセテイト基の酸素原子に結びついていたナトリウムイオンが水分子の酸素に配位結合し、下記化学式（２）の構造を持つようになるが、このようなメカニズムを通じて水分を吸収するようになる。特に、化学式（１）の物質は水分吸収時、いかなる副産物も発生せず、汚染物質の発生を最小化できて、光ケーブルの防水特性を最大にできる。
【００２２】
【化４】
2004520623.tif 000003
【００２３】
前述したような光ケーブルにおいて、チューブと外皮との間に形成される非ジェリー物質の防水材としては、従来の防水材に使われた物質をすべて使用することができるが、特に、防水テープまたは高吸水性ポリマーを含む非金属引張線を使用することが好ましい。このような防水材を使用することによって、従来の防水糸を使用する際、発生しうる粉塵の発生を防止できて、ケーブルの防水特性を最大化できる。
【００２４】
また、図６に示すように、前述したような光ケーブルの圧力特性を向上させるために、本発明の光ケーブルは、非ジェリー成分の防水物質で囲まれた中心部材１００と、リボンユニット１０４内部に水分の侵入を防止できる防水物質１０２で充填され、少なくとも一つ以上の光ファイバーを含んで、中心部材１００の周囲を所定の距離を置いて、方向を変える螺旋構造で巻いている少なくとも一つ以上のチューブ１０６と、チューブ１０６を覆っているプラスチック材質の外皮１１２と、及びチューブと外皮との間の空いた空間に位置し、吸水性物質１１４でコーティングされたプラスチック材質の介在物１１６とからなる。
【００２５】
光ケーブルはプラスチック材質の介在物が含まれることによって、ケーブルの圧縮特性を向上させることができると同時に、介在物自体を吸水性物質でコーティングすることによって、従来技術と同じように別の防水材を介在物の周囲に配置する必要がなく、工程が簡単になりえる。また、介在物自体が防水特性を持つことによって、ケーブルの浸透防止能力を向上させることができ、防水糸による粉塵の発生を防止できる。
【００２６】
光ケーブルにおいて、中心部材を囲む非ジェリー成分の防水物質としては、防水糸、防水テープ、吸水性物質からなるグループで選択されたいずれかを使用することが好ましい。
【００２７】
また、介在物にコーティングされる吸水性物質または中心部材を覆っている吸水性物質としては、本発明の第一の実施形態で使われた物質と同一の物質を使用することができる。
【００２８】
そして、介在物の材質には、一般的なプラスチックをすべて使用することができるが、好ましくはポリエチレン、ポリプロピレン、ポリ塩化ビニル（ＰＶＣ）樹脂からなるグループで選択されたいずれかの物質を使用することができる。
【００２９】
また、前述したように光ケーブルにおいて、外皮とらせん状チューブとの間に非ジェリー成分の防水材を付加的に形成することによって、光ケーブルの防水特性をより一層向上させることができる。
【００３０】
そして、非ジェリー成分の防水材としては、本発明の第一の実施形態で使用したものと同じ部材を使用することができる。
【００３１】
本発明によれば、防水特性を向上させることができ、光ケーブルの製造工程を簡単にできて、粉塵の発生を防止することができ、ケーブルの長さに関係なく連続作業が可能なので、作業工程の生産性が向上し得る。また、光ケーブルの構造において、チューブ及び外皮間の空いた空間に吸水性物質でコーティングされたプラスチック材質の介在物を挿入することによって、別の付加工程なく光ケーブルの圧力特性及び防水特性を最大化できる。
【図面の簡単な説明】
【図１】
従来技術による光ケーブルの構造を示す図である。
【図２】
従来技術による光ケーブルの構造を示す図である。
【図３】
従来技術による光ケーブルの構造を示す図である。
【図４】
従来技術による光ケーブルの構造を示す図である。
【図５】
中心部材を吸水性物質でコーティングした、本発明に係る光ケーブルの構造を示す図である。
【図６】
チューブとチューブを覆っている外皮間の空いた空間にコーティングされた介在物を挿入した、本発明に係る光ケーブルの構造を示す図である。
【国際公開パンフレット】
2004520623.tif 000006
2004520623.tif 000007
2004520623.tif 000008
2004520623.tif 000009
2004520623.tif 000010
2004520623.tif 000011
2004520623.tif 000012
2004520623.tif 000013
2004520623.tif 000014
2004520623.tif 000015
2004520623.tif 000016
2004520623.tif 000017
2004520623.tif 000018
2004520623.tif 000019
2004520623.tif 000020
【国際調査報告】
2004520623.tif 000021